(57)【要約】【課題】コンピューターを使わずに、コンピューターを使用する場合に達成可能な特殊効果及び機能を速報に表現できる。【解決手段】速報ソフトウェアによってコンピューター使用速報ファイルを一回に再生して、コンピューター使用速報ファイルの各ページの速報資料を再生する過程中に、該当ページの速報資料の複数のコンピューター画面を取って比べ、前後の二つのコンピューター画面には相違セクションが存在している場合には、この相違セクションをコンピューター不要速報ファイルにセーブし、なお、相違セクションが存在していない場合には、次のコンピューター画面に切替えて、切替えたコンピューター画面のページ番号が変更されない場合には、該当ページの速報資料の読取、比べ及びセーブをし、ページ番号が変更された場合には、最後ページの速報資料までに、次のページの速報資料の読取、比べ及びセーブをする。【選択図】図３
2009294581.tif 000002
【特許請求の範囲】
【請求項１】
複数のページの速報資料を含み、各ページの速報資料には少なくとも一つのコンピューター画面を有するコンピューター使用速報ファイルをコンピューター不要速報ファイルに変換することができ、
速報ソフトウェアを再生する指令（present command）を実行して、コンピューター使用速報ファイルを再生するステップａと、
前記速報ソフトウェアによってNページ目の速報資料Snのコンピューター画面を再生するステップｂと、
一定時間T内に複数のコンピューター画面Fiを取って、取られた一番目のコンピューター画面Fiに中止マーク（Pause mark）を付けてコンピューター不要速報ファイルにセーブするステップｃと、
コンピューター画面Fiとコンピューター画面Fi+1には相違セクションDiが存在しているかどうかを順次に比べ、相違セクションDiが存在している場合には、前記相違セクションDiと標識位置Piと取り時間Tiとをコンピューター不要速報ファイルにセーブし、なお、相違セクションDiが存在していない場合には、ステップｅを実行するステップｄと、
前記速報ソフトウエアの切替指令（enter command）を実行して、次のコンピューター画面Fmに切替えるステップｅと、
前記コンピューター画面Fmのページ番号が変わられたかどうかを判断し、ページ番号が変わられていない場合には、m+i=iにさせてステップｃを実行し、ページ番号が変わられた場合には、ステップｇを実行するステップｆと、
前記コンピューター画面Fmのページ番号は最後のページであるかどうかを判断し、最後のページではない場合には、N+1=Nにさせてステップｂを実行し、最後のページである場合には、前記コンピューター画面Fmをコンピューター不要速報ファイルにセーブしてプロセスを停止するステップｇと、を含むことを特徴とする
コンピューター不要速報ファイル変換方法。
【請求項２】
前記速報ソフトウェアは、Microsoft（登録商標） Powerpoint（登録商標）であり、且つ自動プログラム制御サービス（supported automation method）方式によって、前記コンピューター使用速報ファイルを自動的に再生することを特徴とする、請求項１に記載のコンピューター不要速報ファイル変換方法。
【請求項３】
ステップｂにおいて再生されるコンピューター画面は、ビットマップフォーマット（bitmap format）でメモリーにセーブされることを特徴とする、請求項１に記載のコンピューター不要速報ファイル変換方法。
【請求項４】
ステップｂは、更に、再生される、N番目の速報資料Snのページ番号と、一番目のコンピューター画面と、をサムネイル（thumbnail）フォーマットで前記コンピューター不要速報ファイルにセーブすることを特徴とする、請求項１に記載のコンピューター不要速報ファイル変換方法。
【請求項５】
ステップａにおいて、前記コンピューター使用速報ファイルを再生する場合には、まず、前記コンピューター使用速報ファイルのファイルネームを読み取って、前記ファイルネームをビットマップフォーマットで前記コンピューター不要速報ファイルにセーブすることを特徴とする、請求項１に記載のコンピューター不要速報ファイル変換方法。
【請求項６】
前記コンピューター不要速報ファイルの複数のコンピューター画面を読み取るためのものであり、前記複数のコンピューター画面のうちの一部には中止メークが付いている資料読取モジュールと、
前記相違セクションDi及び前記標識位置Piによって、中止メークが付いていないコンピューター画面を還元するための資料組合せモジュールと、
前記コンピューター画面を順次に再生し、再生されるコンピューター画面に中止メークが付いている場合には、切替指令を受けたまでに再生を中止する資料再生モジュールと、を含み、請求項１に記載のコンピューター不要速報ファイルを再生することを特徴とする
コンピューター不要速報ファイル再生システム。
【請求項７】
更に、前記資料再生モジュールと通信的に連接しており前記コンピューター画面を投影する投影装置を含むことを特徴とする、請求項６に記載のコンピューター不要速報ファイル再生システム。
【請求項８】
前記コンピューター不要速報ファイルは、脱着可能式装置にセーブされており、前記システムと通信的に結合することができることを特徴とする、請求項６に記載のコンピューター不要速報ファイル再生システム。
【請求項９】
前記システムは、更に、再生インデックスを含み、前記再生インデックスにより、各ページの速報資料の一番目のコンピューター画面が前記投影装置を介して表示されて、ユーザはこれらのコンピューター画面によって再生しようとする速報資料を選択することができることを特徴とする、請求項７に記載のコンピューター不要速報ファイル再生システム。
【請求項１０】
前記システムは、更に、前記コンピューター不要速報ファイルの再生を制御するリモートコントローラを含むことを特徴とする、請求項６に記載のコンピューター不要速報ファイル再生システム。
【請求項１１】
請求項１に記載のコンピューター不要速報ファイルを再生可能であり、
資料読取モジュールと資料組合せモジュールとを有し、前記資料読取モジュールは、前記コンピューター不要速報ファイルの複数のコンピューター画面を読み取るためのものであり、これらのコンピューター画面のうちの一部に中止マークが付いており、前記資料組合せモジュールは、前記相違セクションDi及び前記標識位置Piによって、中止メークが付いていないコンピューター画面を還元する携帯電話と、
資料再生モジュールを有し、前記携帯電話に資料を無線に伝送可能であり、前記資料再生モジュールにより前記コンピューター画面が順次に再生され、再生されるコンピューター画面に中止メークが付いている場合には、切替指令を受けたまでに再生を中止する投影装置と、を含むことを特徴とする
コンピューター不要速報ファイル再生システム。
【請求項１２】
前記コンピューター不要速報ファイルは携帯電話にセーブされていることを特徴とする、請求項１１に記載のコンピューター不要速報ファイル再生システム。
【請求項１３】
更に、再生インデックスを含み、前記再生インデックスにより、各ページの速報資料の一番目のコンピューター画面が前記投影装置を介して表示されて、ユーザはこれらのコンピューター画面によって再生しようとする速報資料を選択することができることを特徴とする、請求項１１に記載のコンピューター不要速報ファイル再生システム。
【請求項１４】
前記携帯電話は、切替指令を出力して前記コンピューター不要速報ファイルの再生を制御するためのボタンを有することを特徴とする、請求項１１に記載のコンピューター不要速報ファイル再生システム。
【発明の詳細な説明】
【技術分野】
【０００１】
本発明は、コンピューター不要（PC-less）速報ファイル変換方法及びコンピューター不要速報ファイル再生システムに関するものである。
【背景技術】
【０００２】
コンピューターを利用する従来の速報会議のシステムは、図１に示すように、コンピューター１０と、投影装置１２と、スクリーン１４と、を含む。コンピューター１０の内部には、速報ソフトウエア１０２（例えばPowerpoint（登録商標）など）と、速報ソフトウエア１０２によって再生可能なコンピューター使用速報ファイル１０４と、がインストールされており、コンピューター１０と投影装置１２は有線方式、又は無線方式で資料を互いに伝送可能であり、これにより、ディスプレイに表示されているコンピューター画面を投影装置１２に伝送して投影装置１２を介してスクリーン１４に投影することができる。
一般に、会議室に設置されているコンピューター１０の主な用途は、コンピューター使用速報ファイル１０４を再生するだけであり、しかし、コンピューター１０の使用頻度が少ないので、会議室にコンピューター１０を設置することは無駄であり、逆に、会議室にコンピューター１０を設置しないと、毎回の会議にコンピューター１０を会議室に持ち込むことが必要であるので、極めて面倒であった。
【０００３】
上記課題を解決するために、従来のＵＳＢポートを有する投影装置は、図２に示すように、投影機本体２０と、ＵＳＢポート２２と、図面再生モジュール２４と、を含み、ＵＳＢポート２２に脱着可能式装置２６を通信的に結合可能であり、なお、図面再生モジュール２４により、脱着可能式装置２６にセーブされた図面ファイル２８（例えばJPGフォーマット）を読取って再生することができ、しかし、図面再生モジュール２４によれば、図面ファイル２８だけを再生することができるので、脱着可能式装置２６には、コンピューター速報ファイル（例えばPowerpoint（登録商標）フォーマットなど）がセーブされていなく、図面ファイル２８だけがセーブされている。
コンピューター速報ソフトウエアがPowerpoint（登録商標）を使用する場合には、作成されるコンピューター速報ファイルは、一般に、複数ページの速報資料を含み、各ページの速報資料は、一枚の図面であってもいいし、アニメーションであってもいいし、図面とアニメーションの組合せであってもよく、また、次のページの速報資料に切替える過程中に渡り効果（transition effects）を使用する場合もあり、アニメーションを実行し、又は次のページの速報資料を再生しようとする場合には、ユーザによって切替指令（enter command）を入力することが必要であり、これらの特殊効果及び機能は全てPowerpoint（登録商標）によって実行される。
【０００４】
従来の投影装置１２は図面ファイルだけを再生することができるので、Powerpoint（登録商標）フォーマットのコンピューター速報ファイルを複数の図面ファイルに変換して一つのファイルフォルダーにセーブすることが必要であり、例えばコンピューター使用速報ファイルに１２ページの速報資料を含む場合には、このコンピューター使用速報ファイルを１２個の図面ファイルに変換することが必要であり、このとき、各ページの速報資料にあるアニメーション効果と、各ページの速報資料を切替えているときの渡り効果と、が存在しなくなり、このように、コンピューターを使わずに速報を再生することができるが、本来の特殊効果及び機能が無くなる。
一方、ユーザが複数の図面ファイルを一つの脱着可能式装置のファイルフォルダーにセーブする場合には、前記ファイルフォルダーのネームは、文字で表示され、図面で表示されなく、且つ国家や地域によって使用される文字も相違であるので、ユーザが別の国家や地域で速報を施す場合には、投影装置が速報しようとするファイルフォルダーのネームをサポートするキャラクタコードを有しなく、そして脱着可能式装置にセーブされたファイルフォルダーが多すぎると、ユーザは脱着可能式装置にあるファイルフォルダーのネームを識別することができない。
【発明の開示】
【発明が解決しようとする課題】
【０００５】
本発明の主な目的は、コンピューター不要（PC-less）速報ファイル変換方法を提供することにある。
本発明の次の目的は、コンピューター不要速報ファイル再生システムを提供することにある。
【課題を解決するための手段】
【０００６】
本発明の請求項１に記載のコンピューター不要速報ファイル変換方法によると、複数のページの速報資料を含み、各ページの速報資料には少なくとも一つのコンピューター画面を有するコンピューター使用速報ファイルをコンピューター不要速報ファイルに変換することができ、
速報ソフトウェアを再生する指令（present command）を実行して、コンピューター使用速報ファイルを再生するステップａと、
前記速報ソフトウェアによってNページ目の速報資料Snのコンピューター画面を再生するステップｂと、
一定時間T内に複数のコンピューター画面Fiを取って、取られた一番目のコンピューター画面Fiに中止マーク（Pause mark）を付けてコンピューター不要速報ファイルにセーブするステップｃと、
コンピューター画面Fiとコンピューター画面Fi+1には相違セクションDiが存在しているかどうかを順次に比べ、相違セクションDiが存在している場合には、前記相違セクションDiと標識位置Piと取り時間Tiとをコンピューター不要速報ファイルにセーブし、なお、相違セクションDiが存在していない場合には、ステップｅを実行するステップｄと、
前記速報ソフトウエアの切替指令（enter command）を実行して、次のコンピューター画面Fmに切替えるステップｅと、
前記コンピューター画面Fmのページ番号が変わられたかどうかを判断し、ページ番号が変わられていない場合には、m+i=iにさせてステップｃを実行し、ページ番号が変わられた場合には、ステップｇを実行するステップｆと、
前記コンピューター画面Fmのページ番号は最後のページであるかどうかを判断し、最後のページではない場合には、N+1=Nにさせてステップｂを実行し、最後のページである場合には、前記コンピューター画面Fmをコンピューター不要速報ファイルにセーブしてプロセスを停止するステップｇと、を含むことを特徴とするコンピューター不要速報ファイル変換方法である。
【０００７】
本発明の請求項２に記載のコンピューター不要速報ファイル変換方法によると、前記速報ソフトウェアは、Microsoft（登録商標） Powerpoint（登録商標）であり、且つ自動プログラム制御サービス（supported automation method）方式によって、前記コンピューター使用速報ファイルを自動的に再生する。
本発明の請求項３に記載のコンピューター不要速報ファイル変換方法によると、ステップｂにおいて再生されるコンピューター画面は、ビットマップフォーマット（bitmap format）でメモリーにセーブされる。
【０００８】
本発明の請求項４に記載のコンピューター不要速報ファイル変換方法によると、ステップｂは、更に、再生される、N番目の速報資料Snのページ番号と、一番目のコンピューター画面と、をサムネイル（thumbnail）フォーマットで前記コンピューター不要速報ファイルにセーブする。
本発明の請求項５に記載のコンピューター不要速報ファイル変換方法によると、ステップａにおいて、前記コンピューター使用速報ファイルを再生する場合には、まず、前記コンピューター使用速報ファイルのファイルネームを読み取って、前記ファイルネームをビットマップフォーマットで前記コンピューター不要速報ファイルにセーブする。
【０００９】
本発明の請求項６に記載のコンピューター不要速報ファイル再生システムによると、前記コンピューター不要速報ファイルの複数のコンピューター画面を読み取るためのものであり、前記複数のコンピューター画面のうちの一部には中止メークが付いている資料読取モジュールと、
前記相違セクションDi及び前記標識位置Piによって、中止メークが付いていないコンピューター画面を還元するための資料組合せモジュールと、
前記コンピューター画面を順次に再生し、再生されるコンピューター画面に中止メークが付いている場合には、切替指令を受けたまでに再生を中止する資料再生モジュールと、を含み、請求項１に記載のコンピューター不要速報ファイルを再生することを特徴とするコンピューター不要速報ファイル再生システムである。
本発明の請求項７に記載のコンピューター不要速報ファイル再生システムによると、更に、前記資料再生モジュールと通信的に連接しており前記コンピューター画面を投影する投影装置を含む。
【００１０】
本発明の請求項８に記載のコンピューター不要速報ファイル再生システムによると、前記コンピューター不要速報ファイルは、脱着可能式装置にセーブされており、前記システムと通信的に結合することができる。
本発明の請求項９に記載のコンピューター不要速報ファイル再生システムによると、前記システムは、更に、再生インデックスを含み、前記再生インデックスにより、各ページの速報資料の一番目のコンピューター画面が前記投影装置を介して表示されて、ユーザはこれらのコンピューター画面によって再生しようとする速報資料を選択することができる。
【００１１】
本発明の請求項１０に記載のコンピューター不要速報ファイル再生システムによると、前記システムは、更に、前記コンピューター不要速報ファイルの再生を制御するリモートコントローラを含む。
本発明の請求項１１に記載のコンピューター不要速報ファイル再生システムによると、請求項１に記載のコンピューター不要速報ファイルを再生可能であり、
資料読取モジュールと資料組合せモジュールとを有し、前記資料読取モジュールは、前記コンピューター不要速報ファイルの複数のコンピューター画面を読み取るためのものであり、これらのコンピューター画面のうちの一部に中止マークが付いており、前記資料組合せモジュールは、前記相違セクションDi及び前記標識位置Piによって、中止メークが付いていないコンピューター画面を還元する携帯電話と、
資料再生モジュールを有し、前記携帯電話に資料を無線に伝送可能であり、前記資料再生モジュールにより前記コンピューター画面が順次に再生され、再生されるコンピューター画面に中止メークが付いている場合には、切替指令を受けたまでに再生を中止する投影装置と、を含むことを特徴とするコンピューター不要速報ファイル再生システムである。
【００１２】
本発明の請求項１２に記載のコンピューター不要速報ファイル再生システムによると、前記コンピューター不要速報ファイルは携帯電話にセーブされている。
本発明の請求項１３に記載のコンピューター不要速報ファイル再生システムによると、更に、再生インデックスを含み、前記再生インデックスにより、各ページの速報資料の一番目のコンピューター画面が前記投影装置を介して表示されて、ユーザはこれらのコンピューター画面によって再生しようとする速報資料を選択することができる。
【００１３】
本発明の請求項１４に記載のコンピューター不要速報ファイル再生システムによると、前記携帯電話は、切替指令を出力して前記コンピューター不要速報ファイルの再生を制御するためのボタンを有する。
【発明の効果】
【００１４】
本発明のコンピューター不要（PC-less）速報ファイル変換方法及びコンピューター不要速報ファイル再生システムによれば、コンピューターを使わずに、コンピューターを使用する場合に達成可能な特殊効果及び機能を表現する速報を実施可能であるという効果がある。
【発明を実施するための最良の形態】
【００１５】
以下、本発明の実施の形態を図面に基づいて説明する。
まず、図３を参照する。図３は本発明によってコンピューター使用速報ファイルをコンピューター不要速報ファイルに変換する方法を示す概略図である。本発明は、まず、コンピューターを使用する速報ソフトウエアによってコンピューター使用速報ファイルを再生して、再生する過程中に、コンピューター使用速報ファイルをコンピューター不要速報ファイルに変換し、なお、コンピューターによって前記コンピューター使用速報ファイルを再生しているときには、再生ウィンドーがコンピューターのディスプレイの表示と関係なくなり、そうすると、前記コンピューターによって別の作業を実施することができる。
本実施例に係る速報ソフトウエアはPowerpoint（登録商標）であり、コンピューター使用速報ファイルのフォーマットはPowerpoint（登録商標）フォーマットであり、コンピューター使用速報ファイルは、複数ページの速報資料を含み、前記各ページの速報資料は少なくとも一つのコンピューター画面を有する。
【００１６】
次に、図４を参照する。図４は本発明によってコンピューター使用速報ファイルをコンピューター不要速報ファイルに変換する方法を示すフローチャートである。本発明に係るコンピューター不要速報ファイル変換方法は、速報ソフトウェアを再生する指令（present command）を実行して、コンピューター使用速報ファイルを再生して（Ｓ３０１）、前記速報ソフトウェアによってNページ目の速報資料Snのコンピューター画面を再生して（Ｓ３０２）、一定時間T内に複数のコンピューター画面Fiを取って、取られた一番目のコンピューター画面Fiに中止マーク（Pause mark）を付けてコンピューター不要速報ファイルにセーブして（Ｓ３０３）、コンピューター画面Fiとコンピューター画面Fi+1には相違セクションDiが存在しているかどうかを順次に比べ（Ｓ３０４）、相違セクションDiが存在している場合には、前記相違セクションDiと標識位置Piと取り時間Tiとをコンピューター不要速報ファイルにセーブし（Ｓ３０９）、なお、相違セクションDiが存在していない場合には、次のステップへ移行して、前記速報ソフトウエアの切替指令（enter command）を実行して、次のコンピューター画面Fmに切替えて（Ｓ３０５）、前記コンピューター画面Fmのページ番号が変わられたかどうかを判断し（Ｓ３０６）、ページ番号が変わられていない場合には、m+i=iにさせてＳ３０３を実行し、ページ番号が変わられた場合には、次のステップへ移行して、前記コンピューター画面Fmのページ番号は最後のページであるかどうかを判断し（Ｓ３０７）、最後のページではない場合には、N+1=NにさせてＳ３０２を実行し、最後のページである場合には、前記コンピューター画面Fmをコンピューター不要速報ファイルにセーブして（Ｓ３０８）、プロセスを停止する。
【００１７】
速報ソフトウェアであるMicrosoft（登録商標） Powerpoint（登録商標）は、自動プログラム制御サービス（supported automation method）機能を有するので、上記機能を起動すると、１ページ目（すなわち、N＝１）の速報資料S１からコンピューター画面を自動的に再生することができ、且つ再生されるコンピューター画面は、ビットマップフォーマット（bitmap format）でメモリーにセーブされる。
また、Ｓ３０１において、コンピューター使用速報ファイルをを再生する場合には、まず、コンピューター使用速報ファイルのファイルネームを読み取って、前記ファイルネームをビットマップフォーマットで前記コンピューター不要速報ファイルにセーブし、なお、Ｓ３０２においては、再生される、N番目の速報資料Snのページ番号と、一番目のコンピューター画面と、をサムネイル（thumbnail）フォーマットで前記コンピューター不要速報ファイルにセーブする。
【００１８】
上記の説明から明らかなように、本発明に係るコンピューター不要（PC-less）速報ファイル変換方法によって発生されるコンピューター不要速報ファイルは下記のものを含む。
（１）ビットマップフォーマット（bitmap format）でセーブされたファイルネーム。
（２）再生インデックスとしサムネイル（thumbnail）フォーマットでセーブされた、各ページの速報資料の一番目のコンピューター画面とそのページ番号。
（３）一定時間T内に取られた一番目のコンピューター画面Fiと、一番目のコンピューター画面Fiに付かれた中止マーク（Pause mark）。
（４）コンピューター画面とその次のコンピューター画面の相違セクションDiと標識位置Piと取り時間Ti。
【００１９】
次に、図５を参照する。図５は本発明の実施例１に係る、コンピューター不要速報ファイルを再生するコンピューター不要速報ファイル再生システムを示す概略図である。本発明に係るコンピューター不要速報ファイル再生システム５０は、資料読取モジュール５１と、資料組合せモジュール５２と、資料再生モジュール５３と、を含み、投影装置６０内に設けられていてもいいし、独立な装置として投影装置６０と通信的に連接していてもよく、本実施例では、コンピューター不要速報ファイル再生システム５０が投影装置６０内に設けられており、投影装置６０はＵＳＢポート６１を有するので、コンピューター不要速報ファイル７０をＵＳＢフラッシュメモリー６２又は脱着可能式装置にセーブして、ＵＳＢフラッシュメモリー６２又は脱着可能式装置がＵＳＢポート６１を介して投影装置６０と通信的に結合するだけで、コンピューター不要速報ファイル７０を再生することができる。
【００２０】
資料読取モジュール５１は、コンピューター不要速報ファイル７０の複数のコンピューター画面を読み取るためのものであり、前記複数のコンピューター画面のうちの一部には中止メークが付いており、資料組合せモジュール５２は、前記相違セクションDi及び前記標識位置Piによって、中止メークが付いていないコンピューター画面を還元するためのものであり、資料再生モジュール５３は、前記コンピューター画面を順次に再生し、再生されるコンピューター画面に中止メークが付いている場合には、切替指令を受けたまでに再生を中止するものである。
投影装置６０のＵＳＢポート６１にＵＳＢフラッシュメモリー６２を通信的に結合したと、資料読取モジュール５１によりＵＳＢフラッシュメモリー６２にセーブされた全ての資料が読取られて、全てのファイルネームがスクリーン１４に投影され、なお、本発明に係るコンピューター不要速報ファイルのファイルネームがビットマップフォーマット（bitmap format）でセーブされるので、別の国家や地域で速報をしても、ファイルネームを識別できないことがなくなる。
【００２１】
コンピューター不要速報ファイルを再生するときには、ユーザはコンピューター不要速報ファイルのうちの一つの速報資料を選択して再生することができ、その再生方法は、速報資料を直接に再生してもいいし、再生インデックスに切替えてサムネイル（thumbnail）から速報しようとする速報資料を選択して再生してもよい。
速報資料を直接に再生する場合には、まず、資料読取モジュールによりコンピューター不要速報ファイルの複数のコンピューター画面が順次に読取られて、各ページの速報資料の一番目のコンピューター画面、又はアニメーションの一番目のコンピューター画面には中止マークが付けられているので、切替指令を受けたまでに再生が中止され、なお、それ以外の中止マークが付けられておらず、且つ相違セクションDiと標識位置Piと取り時間Tiなど資料を含むコンピューター画面を再生するときに、これらのコンピューター画面がダイナミックな画面であるので、資料組合せモジュールによってコンピューター画面を還元することが必要であり、なお、資料再生モジュールにより、取り時間Tiに該当コンピューター画面が再生され、全てのコンピューター画面が再生されたと再生作業を停止する。
【００２２】
なお、ユーザが速報資料のうちの一ページを再生しようとする場合には、まず、再生インデックスに切替えて、サムネイル（thumbnail）から速報しようとする速報資料を選択して再生することが必要であり、その再生の過程は上記と同じなので、説明を省略する。
特に、速報の操作を便利にするために、本発明に係るコンピューター不要速報ファイル再生システムは、更に、図５に示したリモートコントローラ５４を含み、リモートコントローラ５４は、少なくとも、ページアップボタンと、ページダウンボタンと、数字ボタンと、切替ボタンと、などを有し、これにより、コンピューターを使わずに速報資料を速報することができる。
【００２３】
次に、図６を参照する。図６は本発明の実施例２に係る、コンピューター不要速報ファイルを再生するコンピューター不要速報ファイル再生システムを示す概略図である。本発明の実施例２に係るコンピューター不要速報ファイル再生システムは、携帯電話８０と、投影装置６０と、スクリーン１４と、を含む。
携帯電話８０は、資料読取モジュール５１と資料組合せモジュール５２とコンピューター不要速報ファイル７０とを有し、コンピューターによって変換されたコンピューター不要速報ファイル７０が有線又は無線方式で携帯電話８０に伝送してセーブされ、資料読取モジュール５１は、コンピューター不要速報ファイル７０の複数のコンピューター画面を読み取るためのものであり、これらのコンピューター画面のうちの一部に中止マークが付いており、資料組合せモジュール５２は、相違セクションDi及び標識位置Piによって、中止メークが付いていないコンピューター画面を還元するものである。
【００２４】
投影装置６０は、資料再生モジュール５３を有し、携帯電話８０に資料を無線に伝送可能であり、資料再生モジュール５３によりコンピューター画面が順次に再生されてスクリーン１４に投影され、なお、再生されるコンピューター画面に中止メークが付いている場合には、切替指令を受けたまでに再生が中止され、携帯電話８０には、再生の中止を解除するためのボタン８１が設けられている。
実施例２の再生方式はほぼ実施例１と同じ、その異なる箇所は、実施例１に係るコンピューター不要速報ファイル再生システムは、投影装置と通信的に結合しており、そしてＵＳＢフラッシュメモリーにコンピューター不要速報ファイルがセーブされており、ユーザは、リモートコントローラによってコンピューター不要速報ファイル再生システムによる再生を制御する。なお、実施例２に係るコンピューター不要速報ファイル再生システムは、コンピューター不要速報ファイルが携帯電話（すなわち、携帯型コンピューター）にセーブされており、前記携帯電話によって、コンピューター不要速報ファイルが、読取られて組合せられて、投影装置の資料再生モジュールに伝送されて再生され、且つユーザは、携帯電話にあるボタンに通じて再生を直接に制御することができ、リモートコントローラ及びＵＳＢフラッシュメモリーを使用することが必要ない。
【００２５】
特に、実施例２において、資料読取モジュールが携帯電話にビルドインされており、資料再生モジュールが投影装置にビルドインされており、資料読取モジュールは、実施例１と同じように、「コンピューター不要速報ファイルの複数のコンピューター画面を読み取って、そのコンピューター画面に中止マークが付けられたかどうかを判断する」という機能を有するので、コンピューター画面に中止マークが付けられたかどうかの判断は、携帯電話の資料再生モジュールによって実行することができ、このように、ユーザが携帯電話にあるボタンを押圧し切替指令（enter command）を出力すると、コンピューター不要速報ファイルの再生を制御することができ、なお、投影装置にビルドインされた資料再生モジュールは、コンピューター画面に中止マークが付けられたかどうかを判断することは必要なく、携帯電話からのコンピューター画面を接収してスクリーンに直接に投影すればいい。
上記では、種々の実施の形態および変形例を説明したが、本発明はこれらの内容に限定されるものではない。本発明の技術的思想の範囲内で考えられるその他の態様も本発明の範囲内に含まれる。
【図面の簡単な説明】
【００２６】
【図１】コンピューターを利用する従来の速報会議のシステムを示す概略図である。
【図２】従来のＵＳＢポートを有する投影装置を示す概略図である。
【図３】本発明によってコンピューター使用速報ファイルをコンピューター不要速報ファイルに変換する方法を示す概略図である。
【図４】本発明によってコンピューター使用速報ファイルをコンピューター不要速報ファイルに変換する方法を示すフローチャートである。
【図５】本発明の実施例１に係る、コンピューター不要速報ファイルを再生するコンピューター不要速報ファイル再生システムを示す概略図である。
【図６】本発明の実施例２に係る、コンピューター不要速報ファイルを再生するコンピューター不要速報ファイル再生システムを示す概略図である。
【符号の説明】
【００２７】
１０：コンピューター
１２：投影装置
１４：スクリーン
２２：ＵＳＢポート
２４：図面再生モジュール
２６：脱着可能式装置
２８：図面ファイル
５０：コンピューター不要速報ファイル再生システム
５１：資料読取モジュール
５２：資料組合せモジュール
５３：資料再生モジュール
５４：リモートコントローラ
６０：投影装置
６１：ＵＳＢポート
６２：ＵＳＢフラッシュメモリー
７０：コンピューター不要速報ファイル
８０：携帯電話
８１：ボタン
１０２：速報ソフトウエア
１０４：コンピューター使用速報ファイル
【図１】
2009294581.tif 000003
【図２】
2009294581.tif 000004
【図３】
2009294581.tif 000005
【図４】
2009294581.tif 000006
【図５】
2009294581.tif 000007
【図６】
2009294581.tif 000008